(57)【要約】【課題】ユーザが保管庫の鍵を開錠した後、保管庫の施錠を忘れてユーザが退室した場合であっても、開錠されている保管庫を確実に施錠することのできる施錠管理システムを提供する。【解決手段】保管庫３００の鍵をユーザが開錠したとき、保管庫３００が開錠状態であることを示す開錠情報がＩＣカード１００に記憶され、この開錠情報は、ユーザが保管庫３００を施錠したときにＩＣカード１００から削除される。ゲート装置５００は、退室するユーザが所持するＩＣカード１００に記憶された開錠情報を読取り、読み取った開錠情報を管理サーバ装置７００に送信し、管理サーバ装置７００は、受信した開錠情報で特定される保管庫３００に対し、鍵を施錠を要求する。【選択図】図１
2008057316.tif 000002
【特許請求の範囲】
【請求項１】
ユーザが所持するＩＣカードと、前記ＩＣカードを用いて開閉が管理される保管庫と、前記保管庫が設置される部屋の入退室を管理するゲート装置と、前記保管庫の施錠を管理する管理サーバ装置とから構成される施錠管理システムであって、前記ゲート装置、前記保管庫および前記管理サーバ装置はそれぞれネットワークを介して接続され、
前記ＩＣカードは、情報が記憶される記憶手段と、前記記憶手段に記憶された情報を読み出すために利用される情報読出し手段と、前記ＩＣカードが受信した情報を前記記憶手段に書込む情報書込み手段と、前記記憶手段に記憶された情報を前記カード記憶手段から削除する情報削除手段とを備え、
前記保管庫は、開錠操作を受けたとき、前記ＩＣカードの前記情報書込み手段を作動させ、前記保管庫の鍵が開錠状態であることを示し、保持している保管庫識別情報を含む開錠情報を、前記保管庫に装着された前記ＩＣカードに書き込む開錠情報書込み手段と、施錠操作を受けたとき、前記ＩＣカードの前記情報削除手段を作動させ、保持している保管庫識別情報を含む前記開錠情報を前記ＩＣカードから削除する開錠情報削除手段と、ネットワークを介して、前記管理サーバ装置から施錠要求を受けたとき、前記保管庫を施錠するネットワーク施錠手段を備え、
前記ゲート装置は、前記部屋の退室側で前記ＩＣカードを検知する退室検知手段と、前記退場検知手段が前記ＩＣカードを検知したとき、前記ＩＣカードの前記情報読出し手段を作動させ、前記退場検知手段が検知した前記ＩＣカードに記憶された前記開錠情報を読取るＩＣカード情報読取り手段と、前記ＩＣカードから読取った前記開錠情報を前記管理サーバ装置に送信するＩＣカード情報送信手段を備え、
前記管理サーバ装置は、前記ゲート装置から前記開錠情報を受信すると、前記開錠情報に含まれる前記保管庫識別情報で特定される前記保管庫に対し、ネットワークを介して施錠要求する保管庫管理手段とを備えていることを特徴とする施錠管理システム。
【請求項２】
請求項１の発明に記載の施錠管理システムであって、前記ＩＣカードに備えられた前記記憶手段には、前記ＩＣカードを所持するユーザのユーザ識別情報が記述され、前記ゲート装置は、前記部屋の入室側で前記ＩＣカードを検知する入室検知手段を備え、更に、前記ゲート装置の前記ＩＣカード情報読取り手段は、前記入室検知手段が前記ＩＣカードを検知すると、前記ＩＣカードの前記情報読出し手段を作動させ、前記入室検知手段が検知した前記ＩＣカードから前記ユーザ識別情報を読みとり、前記退室検知手段が前記ＩＣカードを検知すると、前記ＩＣカードの前記情報読出し手段を作動させ、前記退室検知手段が検知した前記ＩＣカードから前記ユーザ識別情報と前記開錠情報を読取る手段で、前記ＩＣカード送信手段は、前記入室検知手段が前記ＩＣカードを検知したとき、前記ユーザ識別情報と前記ゲート装置が設置されている前記部屋の部屋識別情報とを含む入室情報を前記管理サーバ装置に送信し、前記退室検知手段が前記ＩＣカードを検知したとき、前記開錠情報に加え、読み出した前記ユーザ識別情報および前記ゲート装置が設置されている前記部屋の部屋識別情報とを含む退室情報を前記管理サーバ装置に送信する手段で、前記管理サーバ装置は、前記ゲート装置が設置された前記部屋に在室する前記ユーザを示し、前記ゲート装置から送信される前記入室情報および前記退室情報を用いて更新される在室者情報と、前記保管庫を共有利用する前記ユーザの前記ユーザ識別情報が記述された共有ユーザ情報とを保持し、前記管理サーバ装置に備えられた前記保管庫管理手段は、ネットワークを介して前記保管庫に施錠要求する前に、施錠要求する前記保管庫の前記共有ユーザ情報と、施錠要求する前記保管庫が設置された前記部屋の前記在室者情報を参照し、施錠要求する前記保管庫を共有利用する前記ユーザの前記ユーザ識別情報すべてが、前記在室者情報に含まれていなければ、ネットワークを介して前記保管庫に施錠要求することを特徴とする施錠管理システム。
【請求項３】
ユーザが所持するＩＣカードと、前記ＩＣカードを用いて開錠／施錠が管理される保管庫と、前記保管庫が設置される部屋の入退室を管理するゲート装置と、前記保管庫の施錠を管理する管理サーバ装置を用いて、前記保管庫の施錠を管理する方法であって、
前記保管庫が開錠動作するときに、前記保管庫が、保持している保管庫識別情報を含み、前記保管庫の鍵が開錠状態であることを示す開錠情報を前記ＩＣカードに書き込む開錠情報書込み工程と、
前記保管庫が施錠動作するときに、前記保管庫が、保持している前記保管庫識別情報を含む前記開錠情報を前記ＩＣカードから削除する開錠情報削除工程と、
前記ゲート装置が、前記部屋の退室側で検知した前記ＩＣカードから読み出した前記開錠情報を前記管理サーバ装置に送信し、前記管理サーバ装置が、前記ゲート装置から受信した前記開錠情報に含まれる前記保管庫識別情報で特定される前記保管庫に対し、ネットワークを介して施錠要求する保管庫管理工程を含んだ手順で実行されることを特徴とする方法。
【請求項４】
請求項３の発明に記載の方法であって、前記方法は、前記ゲート装置が、前記部屋の入室側で検知した前記ＩＣカードから、ユーザ識別情報と前記ゲート装置が設置された前記部屋の部屋識別情報とを読取り、前記ユーザ識別情報および前記部屋識別情報を含む入室情報を前記管理サーバ装置に送信し、前記管理サーバ装置が前記入室情報に基づいて、前記入室情報の前記部屋識別情報で特定される前記部屋に在室する前記ユーザを示す在室者リストを更新する工程と、前記ゲート装置が、前記部屋の退室側で検知した前記ＩＣカードから、前記ユーザ識別情報と前記部屋識別情報を読取り、前記ユーザ識別情報と前記部屋識別情報を含む退室情報を前記管理サーバ装置に送信し、前記管理サーバ装置が前記退室情報に基づいて、前記退室情報の前記部屋識別情報で特定される前記部屋の前記在室者情報を更新する工程とから成る在室者管理工程を含み、
前記保管庫管理工程において、前記管理サーバ装置は、ネットワークを介して前記保管庫に施錠要求する前に、施錠要求する前記保管庫を共有利用する前記ユーザの前記ユーザ識別情報が記述された共有ユーザ情報と、施錠要求する前記保管庫が設置された前記部屋の前記在室者情報とを参照し、施錠要求する前記保管庫を共有利用する前記ユーザの前記ユーザ識別情報すべてが、前記在室者情報に含まれていなければ、ネットワークを介して前記保管庫に施錠要求することを特徴とする方法。
【発明の詳細な説明】
【技術分野】
【０００１】
本発明は、セキュリティを管理する領域（たとえば、セキュリティ・ルーム）に設置された保管庫の施錠を管理するシステム、および、保管庫の施錠を管理する方法に関する。
【背景技術】
【０００２】
個人情報や企業情報などが記述された重要書類が保管される保管庫を開錠する鍵として、物理鍵が古くから用いられてきたが、物理鍵の代わりに電子鍵を用いて、電子的に保管庫の鍵の開錠を管理する発明が開示されている。
【０００３】
たとえば、特許文献１では、ＩＣカード内の認証情報を用いて、保管庫を利用するユーザをユーザ認証し、ユーザ認証に成功したときのみ、保管庫の鍵を開錠する発明が開示されている。
【特許文献１】特許３５２７６９３号公報
【発明の開示】
【発明が解決しようとする課題】
【０００４】
しかしながら、特許文献１を用いるなどして、保管庫の鍵の開錠を電子的に管理したとしても、保管庫の施錠を忘れてユーザが退室した場合には、保管庫の鍵が開錠されたままの状態で放置されてしまい、保管庫に保管される重要書類の安全管理が維持できないという問題点があった。
【０００５】
そこで、本発明は、ユーザが保管庫の鍵を開錠した後、保管庫が設置されている部屋から、保管庫の施錠を忘れてユーザが退室した場合であっても、開錠されている保管庫を確実に施錠することのできる施錠管理システムおよびその方法を提供することを目的とする。
【課題を解決するための手段】
【０００６】
本発明は、以下のような解決手段により、課題を解決する。すなわち、請求項１の発明は、ユーザが所持するＩＣカードと、前記ＩＣカードを用いて開閉が管理される保管庫と、前記保管庫が設置される部屋の入退室を管理するゲート装置と、前記保管庫の施錠を管理する管理サーバ装置とから構成される施錠管理システムであって、前記ゲート装置、前記保管庫および前記管理サーバ装置はそれぞれネットワークを介して接続され、
前記ＩＣカードは、情報が記憶される記憶手段と、前記記憶手段に記憶された情報を読み出すために利用される情報読出し手段と、前記ＩＣカードが受信した情報を前記記憶手段に書込む情報書込み手段と、前記記憶手段に記憶された情報を前記カード記憶手段から削除する情報削除手段とを備え、
前記保管庫は、開錠操作を受けたとき、前記ＩＣカードの前記情報書込み手段を作動させ、前記保管庫の鍵が開錠状態であることを示し、保持している保管庫識別情報を含む開錠情報を、前記保管庫に装着された前記ＩＣカードに書き込む開錠情報書込み手段と、施錠操作を受けたとき、前記ＩＣカードの前記情報削除手段を作動させ、保持している保管庫識別情報を含む前記開錠情報を前記ＩＣカードから削除する開錠情報削除手段と、ネットワークを介して、前記管理サーバ装置から施錠要求を受けたとき、前記保管庫を施錠するネットワーク施錠手段を備え、
前記ゲート装置は、前記部屋の退室側で前記ＩＣカードを検知する退室検知手段と、前記退場検知手段が前記ＩＣカードを検知したとき、前記ＩＣカードの前記情報読出し手段を作動させ、前記退場検知手段が検知した前記ＩＣカードに記憶された前記開錠情報を読取るＩＣカード情報読取り手段と、前記ＩＣカードから読取った前記開錠情報を前記管理サーバ装置に送信するＩＣカード情報送信手段を備え、
前記管理サーバ装置は、前記ゲート装置から前記開錠情報を受信すると、前記開錠情報に含まれる前記保管庫識別情報で特定される前記保管庫に対し、ネットワークを介して施錠要求する保管庫管理手段とを備えていることを特徴とする。
【０００７】
請求項１の発明によれば、前記保管庫の鍵が開錠状態であることを示す前記開錠情報は前記ＩＣカードに記憶され、前記ユーザが前記部屋から退室するときに、この前記開錠情報を前記ＩＣカードから読取ることで、ユーザが施錠を忘れている前記保管庫を特定でき、ユーザが施錠を忘れている前記保管庫を施錠することができるようになる。
【０００８】
更に、請求項２の発明は、請求項１の発明に記載の施錠管理システムであって、前記ＩＣカードに備えられた前記記憶手段には、前記ＩＣカードを所持するユーザのユーザ識別情報が記述され、前記ゲート装置は、前記部屋の入室側で前記ＩＣカードを検知する入室検知手段を備え、更に、前記ゲート装置の前記ＩＣカード情報読取り手段は、前記入室検知手段が前記ＩＣカードを検知すると、前記ＩＣカードの前記情報読出し手段を作動させ、前記入室検知手段が検知した前記ＩＣカードから前記ユーザ識別情報を読みとり、前記退室検知手段が前記ＩＣカードを検知すると、前記ＩＣカードの前記情報読出し手段を作動させ、前記退室検知手段が検知した前記ＩＣカードから前記ユーザ識別情報と前記開錠情報を読取る手段で、前記ＩＣカード送信手段は、前記入室検知手段が前記ＩＣカードを検知したとき、前記ユーザ識別情報と前記ゲート装置が設置されている前記部屋の部屋識別情報とを含む入室情報を前記管理サーバ装置に送信し、前記退室検知手段が前記ＩＣカードを検知したとき、前記開錠情報に加え、読み出した前記ユーザ識別情報および前記ゲート装置が設置されている前記部屋の部屋識別情報とを含む退室情報を前記管理サーバ装置に送信する手段で、前記管理サーバ装置は、前記ゲート装置が設置された前記部屋に在室する前記ユーザを示し、前記ゲート装置から送信される前記入室情報および前記退室情報を用いて更新される在室者情報と、前記保管庫を共有利用する前記ユーザ識別情報が記述された共有ユーザ情報とを保持し、前記管理サーバ装置に備えられた前記保管庫管理手段は、ネットワークを介して前記保管庫に施錠要求する前に、施錠要求する前記保管庫の前記共有ユーザ情報と、施錠要求する前記保管庫が設置された前記部屋の前記在室者情報を参照し、施錠要求する前記保管庫を共有利用する前記ユーザの前記ユーザ識別情報すべてが、前記在室者情報に含まれていなければ、ネットワークを介して前記保管庫に施錠要求することを特徴とする。
【０００９】
請求項２の発明によれば、前記管理サーバ装置が、施錠要求する前記保管庫の前記共有ユーザ情報と、施錠要求する前記保管庫が設置された前記部屋の前記在室者情報を参照することで、前記管理サーバは、施錠要求する前記保管庫を共有利用する前記ユーザの在室状況を確認することができ、施錠要求する前記保管庫を共有利用する前記ユーザが在室しているにも係わらず、前記保管庫が施錠されることを防止できる。
【００１０】
更に、請求項３の発明は、ユーザが所持するＩＣカードと、前記ＩＣカードを用いて開錠／施錠が管理される保管庫と、前記保管庫が設置される部屋の入退室を管理するゲート装置と、前記保管庫の施錠を管理する管理サーバ装置を用いて、前記保管庫の施錠を管理する方法であって、
前記保管庫が開錠動作するときに、前記保管庫が、保持している保管庫識別情報を含み、前記保管庫の鍵が開錠状態であることを示す開錠情報を前記ＩＣカードに書き込む開錠情報書込み工程と、
前記保管庫が施錠動作するときに、前記保管庫が、保持している前記保管庫識別情報を含む前記開錠情報を前記ＩＣカードから削除する開錠情報削除工程と、
前記ゲート装置が、前記部屋の退室側で検知した前記ＩＣカードから読み出した前記開錠情報を前記管理サーバ装置に送信し、前記管理サーバ装置が、前記ゲート装置から受信した前記開錠情報に含まれる前記保管庫識別情報で特定される前記保管庫に対し、ネットワークを介して施錠要求する保管庫管理工程を含んだ手順で実行されることを特徴とする。
【００１１】
更に、請求項４の発明は、請求項３の発明に記載の方法であって、前記方法は、前記ゲート装置が、前記部屋の入室側で検知した前記ＩＣカードから、ユーザ識別情報と前記ゲート装置が設置された前記部屋の部屋識別情報とを読取り、前記ユーザ識別情報および前記部屋識別情報を含む入室情報を前記管理サーバ装置に送信し、前記管理サーバ装置が前記入室情報に基づいて、前記入室情報の前記部屋識別情報で特定される前記部屋に在室する前記ユーザを示す在室者リストを更新する工程と、前記ゲート装置が、前記部屋の退室側で検知した前記ＩＣカードから、前記ユーザ識別情報と前記部屋識別情報を読取り、前記ユーザ識別情報と前記部屋識別情報を含む退室情報を前記管理サーバ装置に送信し、前記管理サーバ装置が前記退室情報に基づいて、前記退室情報の前記部屋識別情報で特定される前記部屋の前記在室者情報を更新する工程とから成る在室者管理工程を含み、
前記保管庫管理工程において、前記管理サーバ装置は、ネットワークを介して前記保管庫に施錠要求する前に、施錠要求する前記保管庫を共有利用する前記ユーザの前記ユーザ識別情報が記述された共有ユーザ情報と、施錠要求する前記保管庫が設置された前記部屋の前記在室者情報とを参照し、施錠要求する前記保管庫を共有利用する前記ユーザの前記ユーザ識別情報すべてが、前記在室者情報に含まれていなければ、ネットワークを介して前記保管庫に施錠要求することを特徴とする。
【００１２】
請求項３の発明および請求項４の発明によれば、請求項１の発明および請求項２と同様の効果が得られる。
【発明の効果】
【００１３】
上述した本発明によれば、ユーザが保管庫の鍵を開錠した後、保管庫が設置されている部屋から、保管庫の施錠を忘れてユーザが退室した場合であっても、開錠されている保管庫を確実に施錠することのできる施錠管理システムおよびその方法を提供できる。
【発明を実施するための最良の形態】
【００１４】
（実施の形態１）
以下、図面等を参照しながら、本発明の実施の形態１について、更に詳しく説明する。
【００１５】
図１は、施錠管理システム１の構成を説明する図である。施錠管理システム１は、施錠管理システム１のユーザが所持するＩＣカード１００と、ゲート装置５００と、ＩＣカード開閉式の保管庫３００と、管理サーバ装置７００とから構成され、ゲート装置５００、保管庫３００および管理サーバ装置７００はネットワークを介して接続される。
【００１６】
ＩＣカード開閉式の保管庫３００は、保管庫３００を識別するための保管庫識別情報を有し、ユーザが保管庫３００の鍵を開錠／施錠する機能を備える。ユーザが保管庫３００の鍵を開錠するとき、保管庫３００は、保管庫３００の鍵を開錠するユーザが所持するＩＣカード１００を用いてユーザ認証し、ユーザ認証に成功すると保管庫３００を開錠する。更に、保管庫３００を施錠するとき、開錠時と同様にユーザ認証を行い、ユーザ認証に成功すると、保管庫３００を施錠する。
【００１７】
ユーザが所持するＩＣカード１００には、ユーザを識別するためのユーザ識別情報が記憶され、更に、ユーザが開錠した保管庫３００の保管庫識別情報を含み、保管庫３００が開錠状態であることを示す開錠情報が記憶される。
【００１８】
図２は、ＩＣカード１００に記憶される開錠情報の一例を示した図である。図２では、保管庫識別情報に加え、保管庫３００の鍵が開錠状態であることを示す情報とから開錠情報は構成され、更に、保管庫識別情報が、保管庫３００が設置されている部屋９００を識別する部屋識別情報と、保管庫３００の名称情報とからは構成される開錠情報を例示している。
【００１９】
ユーザが保管庫３００の鍵を開錠すると、開錠した保管庫３００の保管庫識別情報を含む開錠情報がＩＣカード１００に書き込まれ、更に、保管庫３００を施錠すると、施錠した保管庫３００の保管庫識別情報を含む開錠情報がＩＣカード１００から削除される。よって、ＩＣカード１００から開錠情報を読み取れば、ユーザが開錠したままの状態である保管庫３００を特定できる。
【００２０】
ゲート装置５００は、保管庫３００の管理領域である部屋９００への入退室を管理する装置である。部屋９００からユーザが退室するとき、部屋９００か退室するユーザが所持するＩＣカード１００から開錠情報をすべて読取り、読み取った開錠情報を管理サーバ装置７００へ送信する。
【００２１】
管理サーバ装置７００は、保管庫識別情報ごとにネットワーク上のアドレスを記憶し、ゲート装置５００から開錠情報を受信すると、開錠情報に含まれる保管庫識別情報で特定される保管庫３００に対し、ネットワークを介して保管庫３００の施錠を要求する。
【００２２】
保管庫３００は、ユーザの操作によって鍵を開錠／施錠する機能に加え、ネットワークを介して施錠要求を受けたとき、保管庫３００の鍵を施錠する機能を保管庫３００は備え、ネットワークを介して、管理サーバ装置７００から施錠要求を保管庫３００が受けると、保管庫３００は鍵を施錠する。
【００２３】
このように、実施の形態１に係わる施錠管理システム１によれば、ユーザが部屋９００から退室するときに、ＩＣカード１００に記憶された開錠情報の内容を読取ることで、ユーザが施錠を忘れている保管庫３００がわかり、ユーザが施錠を忘れている保管庫３００の鍵を施錠することができるようになる。
【００２４】
ここから、施錠管理システム１の処理の流れについて説明する。図３は、ユーザが保管庫３００の鍵を開錠するときの処理を説明するフロー図で、図４は、ユーザが保管庫３００の鍵を施錠するときの処理を説明するフロー図で、図５は、ユーザが部屋９００を退室するときの処理を説明するフロー図である。
【００２５】
まず、図３を参照しながら、ユーザが保管庫３００を開錠するときの処理について説明する。ユーザが保管庫３００のリーダライタにＩＣカード１００を装着させ、保管庫３００の鍵を開錠する操作を行うと、保管庫３００は、装着されたＩＣカード１００からユーザ識別情報を読み取るコマンドメッセージを送信することで、ユーザ識別情報の送信をＩＣカードに要求する（Ｓ１）。
【００２６】
ユーザ識別情報の送信要求を保管庫３００から受けるとＩＣカード１００は、記憶しているユーザ識別情報を保管庫３００に送信する（Ｓ２）。
【００２７】
保管庫３００はＩＣカード１００からユーザ識別情報が送信されると、保管庫３００の利用が許可されたユーザのユーザ識別情報であるか確認することで、開錠操作したユーザをユーザ認証する（Ｓ３）。
【００２８】
ユーザ認証に成功すると、保管庫３００は、自分の保管庫識別情報を含む開錠情報を書き込むコマンドメッセージをＩＣカード１００へ送信し、開錠情報の書込みをＩＣカードに要求する（Ｓ４）。
【００２９】
開錠情報を書込む要求をＩＣカード１００が受けると、ＩＣカード１００は、受信した開錠情報をメモリに書き込む（Ｓ５）。
【００３０】
開錠情報の書込みが正常に終了したこと示すレスポンスを保管庫３００がＩＣカード１００から受信すると、保管庫３００は鍵を開錠する（Ｓ６）。
【００３１】
次に、図４を参照しながら、ユーザが保管庫３００を施錠するときの処理について説明する。ユーザが保管庫３００のリーダライタにＩＣカード１００を装着させ、保管庫３００の鍵を施錠する操作を行うと、保管庫３００は、装着されたＩＣカード１００からユーザ識別情報を読み取るコマンドメッセージを送信することで、ユーザ識別情報の送信をＩＣカードに要求する（Ｓ１０）。
【００３２】
ユーザ識別情報の送信要求を保管庫３００から受けると、ＩＣカード１００は、保持しているユーザ識別情報を保管庫３００に送信する（Ｓ１１）。
【００３３】
保管庫３００はＩＣカード１００からユーザ識別情報が送信されると、保管庫３００の利用が許可されたユーザのユーザ識別情報であるか確認することで、施錠操作したユーザをユーザ認証する（Ｓ１２）。
【００３４】
ユーザ認証に成功すると、保管庫３００は、自分の保管庫識別情報を含む開錠情報を削除するコマンドメッセージをＩＣカード１００へ送信し、開錠情報の削除をＩＣカードに要求する（Ｓ１３）。
【００３５】
開錠情報を削除する要求をＩＣカード１００が受けると、ＩＣカード１００は、保管庫３００から指示された開錠情報をメモリから削除する（Ｓ１４）。
【００３６】
開錠情報の削除が正常に終了したこと示すレスポンスを保管庫３００がＩＣカード１００から受信すると、保管庫３００は鍵を施錠する（Ｓ１５）。
【００３７】
次に、図５を参照しながら、ユーザが部屋９００から退室するときの処理の流れについて説明する。ユーザが、部屋９００の退室側に設けられたゲート装置５００のリーダライタにＩＣカード１００を装着させると、ゲート装置５００は、開錠情報とユーザ識別情報を読出すコマンドメッセージをＩＣカード１００に送信することで、ユーザ識別情報と開錠情報の送信をＩＣカードに要求する（Ｓ２０）。
【００３８】
ユーザ識別情報と保管庫識別情報の送信要求を受けると、ＩＣカードはゲート装置５００に対して、ユーザ識別情報と開錠情報をゲート装置５００に送信する（Ｓ２１）。
【００３９】
ゲート装置５００は、ユーザ識別情報と開錠情報をＩＣカード１００から受信すると、ユーザ識別情報を用いて退室するユーザを認証することでユーザの退室管理を行い（Ｓ２２）、ＩＣカード１００から読み出した開錠情報を管理サーバ装置７００に転送すると共に、開錠情報をすべて削除するコマンドメッセージをＩＣカード１００に送信する（Ｓ２３）。
【００４０】
管理サーバ装置７００は、開錠情報をゲート装置５００から受信すると、開錠情報に含まれる保管庫識別情報で特定される保管庫３００に対して、ネットワークを介して、保管庫３００の鍵の施錠を要求し（Ｓ２４）、保管庫３００は鍵を施錠する（Ｓ２５）。
【００４１】
また、ＩＣカード１００は、開錠情報をすべて削除するコマンドメッセージを受信すると、開錠情報すべてをメモリから削除する（Ｓ２６）。
【００４２】
ここから、実施の形態１に係わる施錠管理システム１を構成するＩＣカード１００、保管庫３００、ゲート装置５００および管理サーバ装置７００について説明する。図６は、ＩＣカード１００のブロック図である。
【００４３】
図６に図示したように、ＩＣカード１００には、ユーザ識別情報と開錠情報が記憶されるメモリ１０５と、開錠情報をメモリ１０５に書込むライトコマンド１０１と、メモリ１０５に書き込まれた情報を読み出すリードコマンド１０４と、メモリ１０５に書き込まれた開錠情報を選択するセレクトコマンド１０３と、メモリ１０４に書き込まれた開錠情報を削除するイレースコマンド１０２を備える。
【００４４】
ライトコマンド１０１は、開錠情報に含まれる保管庫識別情報をファイルネームとし、受信した開錠情報をメモリ１０５に書き込むために利用されるコマンドで、リードコマンド１０４は、メモリ１０５に書き込まれた開錠情報やユーザ識別情報を読み出すために利用されるコマンドで、セレクトコマンド１０３は、開錠情報のファイルネームを指定するこで、メモリ１０５に記憶された開錠情報を選択するために利用されるコマンドで、イレースコマンド１０２は、セレクトコマンド１０３で指定された開錠情報を初期化することで、メモリ１０５から開錠情報を削除するコマンドである。
【００４５】
図７は、保管庫３００のブロック図である。図７に図示したように、保管庫３００は、ユーザが所持するＩＣカード１００と通信するためのリーダライタ３０１と、保管庫３００の鍵を開錠する開錠手段３０２と、保管庫３００の鍵を施錠する施錠手段３０３と、ネットワークを介して施錠要求を受けると、鍵を施錠するネットワーク施錠手段３０４と、保管庫３００を利用するユーザを認証するユーザ認証手段３０５と、保管庫３００の開錠情報が記憶されるメモリ３０６を備える。
【００４６】
保管庫３００を利用するユーザを認証するユーザ認証手段３０５は、開錠手段３０２および施錠手段３０３から呼出されて作動する手段で、ＩＣカード１００のリードコマンド１０４を利用して、ＩＣカード１００に記憶されたユーザ識別情報を読み取り、利用が許可されたユーザのユーザ識別情報が記述されたリストを参照するなどして、保管庫３００を利用するユーザのユーザ識別情報が許可されたユーザのユーザ識別情報であることを確認して、保管庫３００を利用するユーザをユーザ認証する手段である。
【００４７】
保管庫３００を開錠する開錠手段３０２は、ユーザが保管庫３００を開錠する操作をした時に作動する手段で、開錠する操作が行われると、開錠手段３０２は、ユーザ認証手段３０５を作動させ、ユーザ認証手段３０５が認証に成功すると、ＩＣカード１００のライトコマンド１０１を利用して開錠情報をＩＣカード１００に書き込んだ後、保管庫３００を開錠する手段である。
【００４８】
保管庫３００を施錠する施錠手段３０３は、ユーザが保管庫３００を施錠する操作をした時に作動する手段で、施錠要求する操作が行われると、施錠手段３０３は、ユーザ認証手段３０５を作動させ、ユーザ認証手段３０５がユーザ認証に成功すると、ＩＣカード１００のセレクトコマンド１０３を利用して削除する開錠情報を選択した後、ＩＣカード１００のイレースコマンド１０２を利用して、選択した開錠情報を初期化することで削除した後、保管庫３００の鍵を施錠する手段である。
【００４９】
図８は、ゲート装置５００のブロック図である。図８に図示したように、ゲート装置５００は、ユーザが所持するＩＣカード１００と通信するために入室側に設置される入室用リーダライタ５０１と、ユーザが所持するＩＣカード１００と通信するために退室側に設置される退室用リーダライタ５０２と、ＩＣカード１００に記憶されたユーザ識別情報と開錠情報を読取るＩＣカード情報読取り手段５０３と、ＩＣカード１００から読み出したユーザ識別情報を用いて、ユーザの入退室を制御する入退室制御手段５０５と、ＩＣカード１００から読み出した開錠情報を管理サーバ装置７００に送信するＩＣカード情報送信手段５０４を備える。
【００５０】
ＩＣカード１００に記憶された情報を読取るＩＣカード情報読取り手段５０３は、退室用リーダライタ５０２がＩＣカード１００を検知したとき、ＩＣカード１００のリードコマンド１０４を利用して、ユーザ識別情報と開錠情報を読出し、入室用リーダライタ５０１がＩＣカード１００を検知したとき、ＩＣカード１００のリードコマンド１０４を利用して、ユーザ識別情報のみを読み出す手段である。
【００５１】
ゲート装置５００の入退室制御手段５０５は、入室／退室するユーザが所持するＩＣカード１００から読取ったユーザ識別情報が、入退室が許可されたユーザのユーザ識別情報であるか確認することで、ユーザの入室／退室を制御する手段である。
【００５２】
ゲート装置５００のＩＣカード情報送信手段５０４は、ユーザが退室するときに、ＩＣカード１００から読み出した開錠情報を、ネットワークを介して管理サーバ装置７００へ送信した後、セレクトコマンド１０３を利用して、ＩＣカード１００に記憶されている開錠情報すべてを選択し、イレースコマンド１０２を利用して、ＩＣカード１００の開錠情報すべてを初期化することで、ＩＣカード１００に記憶された開錠情報を削除する手段である。
【００５３】
図９は、管理サーバ装置７００のブロック図である。図９に図示したように、管理サーバ装置７００には、ネットワークを介して、保管庫３００に施錠要求する保管庫管理手段７０１を備えている。
【００５４】
保管庫３００に施錠要求する保管庫管理手段７０１は、保管庫識別情報に関連付けて保管庫３００のアドレスを記憶し、ゲート装置５００から、ＩＣカード１００に記憶された開錠情報を受信すると、開錠情報に含まれる保管庫識別情報に対応する保管庫３００のアドレスに対して、保管庫３００の施錠を要求するメッセージを送信する手段である。
【００５５】
（実施の形態２）
ここから、本発明の実施の形態２について、図を参照しながら詳細に説明する。図１０は実施の形態２に係わる施錠管理システム２の構成を説明する図で、実施の形態２に係わる施錠管理システム２は、ＩＣカード１００と、保管庫３００と、ゲート装置６００と、管理サーバ装置８００とから構成される。なお、実施の形態２を構成するＩＣカード１００および保管庫３００の機能は、実施の形態１で説明した機能と同じであるため、実施の形態１と同じ符号を付与している。
【００５６】
実施の形態１に係わる施錠管理システム１と実施の形態２に係わる施錠管理システム２の相違点は、保管庫３００を複数のユーザで共有利用するとき、保管庫３００を共有利用するユーザ（以下、「共有ユーザ」と記す。）が全員退室したときに、保管庫３００が開錠状態であれば、保管庫３００を施錠する点にある。
【００５７】
保管庫３００の共有ユーザを考慮して保管庫３００の施錠を管理するために、管理サーバ装置８００は、部屋９００を識別するための部屋識別情報ごとに、部屋９００に在室しているユーザを示す在室者リストを保持し、更に、保管庫識別情報ごとに、保管庫識別情報で特定される保管庫３００の共有ユーザのユーザ識別情報を記述した共有ユーザリストを保持している。
【００５８】
そして、部屋９００から退室するユーザが所持するＩＣカード１００から読出した開場情報で特定される保管庫３００に対し、ネットワークを介して、保管庫３００の施錠を要求するメッセージを送信する前に、開錠情報を送信したゲート装置６００が設置された部屋９００に対応する在室者リストと、鍵の施錠を要求する保管庫３００に対応する共有ユーザリストとを照合し、共有ユーザリストに記述された共有ユーザすべてが在室していないとき、すなわち、部屋９００に在室していた最後の共有ユーザが退室するとき、その保管庫識別情報で特定される保管庫３００に対し、ネットワークを介して、保管庫３００の施錠を要求するメッセージを送信する。
【００５９】
ここから、施錠管理システム２の処理の流れについて説明する。図１１は、ユーザが部屋９００に入室するときの処理の流れを説明するフロー図で、図１２は、ユーザが部屋９００から退室するときの処理の流れを説明するフロー図である。なお、ユーザが保管庫３００を開錠および施錠する処理の流れは、実施の形態１と同じであるので説明を省く。
【００６０】
まず、図１１を参照しながら、ユーザが部屋９００に入室するときの処理の流れについて説明する。ユーザがゲート装置６００の入室側のリーダライタにＩＣカードを検知させ、ゲート装置５００が入室要求を受けると、ゲート装置６００は、ユーザ識別情報を読み出すコマンドメッセージを送信することで、ユーザ識別情報の送信をＩＣカード１００に要求する（Ｓ３０）。
【００６１】
ユーザ識別情報の送信要求を受けると、ＩＣカード１００はゲート装置６００に対して、ユーザ識別情報を送信する（Ｓ３１）。
【００６２】
ゲート装置６００は、ユーザ識別情報を受信すると、受信したユーザ識別情報を用いてユーザの入室管理を行い（Ｓ３２）、受信したユーザ識別情報、ゲート装置６００が設置されている部屋９００の部屋識別情報と、ユーザの入室を示す情報を含む入室情報を生成し（Ｓ３）、生成した入室情報を管理サーバ装置８００へ送信する（Ｓ３４）。
【００６３】
管理サーバ装置８００は、ゲート装置６００から入室情報を受信すると、受信した入室情報に含まれる部屋識別情報に対応する在室者リストを選択し、受信した入室情報に含まれるユーザ識別情報を選択した在室者リストに追加することで、在室者リストを更新する（Ｓ３５）。
【００６４】
次に、図１２を参照しながら、ユーザが部屋９００から退室するときの処理の流れについて説明する。ユーザがゲート装置６００の退室側のリーダライタにＩＣカード１００を装着させ、ゲート装置６００が退場要求を受けると、ゲート装置６００は、ユーザ識別情報を読み出すコマンドメッセージと、開錠情報を読み出すコマンドメッセージを送信することで、ユーザ識別情報と開錠情報の送信をＩＣカード１００に要求する（４０）。
【００６５】
ユーザ識別情報と開錠情報の送信要求を受けると、ＩＣカード１００はゲート装置６００に対して、ユーザ識別情報と開錠情報を送信する（Ｓ４１）。
【００６６】
ゲート装置６００は、ユーザ識別情報と開錠情報をＩＣカード１００から受信すると、受信したユーザ識別情報を用いてユーザの退室管理を行い（Ｓ４２）、受信したユーザ識別情報と、ゲート装置６００が設置されている部屋９００の部屋識別情報と、ユーザの退室を示す情報を含む退室情報を生成し（Ｓ４３）、生成した退室情報と開錠情報を管理サーバ装置８００へ送信すると共に、ＩＣカード１００に記憶された開錠情報すべてを初期化するコマンドメッセージをＩＣカード１００に送信する（Ｓ４４）。
【００６７】
管理サーバ装置８００は、退室情報および開錠情報をゲート装置６００から受信すると、まず、受信した退室情報に含まれる部屋識別情報に対応する在室者リストを選択し、受信した退室情報に含まれるユーザ識別情報を選択した在室者リストから削除することで、在室者リストを更新する（Ｓ４５）。
【００６８】
そして、管理サーバ装置８００は、受信した開錠情報に含まれる保管庫識別情報ごとに、保管庫識別情報の共有ユーザリストに記述されているユーザ識別情報すべてが、受信した退室情報に含まれるゲート識別情報に対応する在室者リストに記述されていなければ、共有ユーザ全員が退室したと判断し、保管庫識別情報で特定される保管庫３００に対し、ネットワークを介して鍵の施錠を要求し（Ｓ４６）、保管庫３００は、ネットワークを介して、管理サーバ装置８００から鍵の施錠要求を受けると、鍵を施錠する（Ｓ４７）。
【００６９】
管理サーバ装置８００は、ＩＣカード１００は開錠情報すべてを初期化するコマンドメッセージを受信すると、ＩＣカード１００は開錠情報を初期化することで、開錠情報を削除し（Ｓ４８）。
【００７０】
ここから、実施の形態２に係わる施錠管理システム２を構成するゲート装置６００および管理サーバ装置８００について説明する。
【００７１】
図１３は、ゲート装置６００のブロック図である。図１３に図示したように、ゲート装置６００は、ユーザが所持するＩＣカード１００と通信するために入室側に設置される入室側リーダライタ６０１と、ユーザが所持するＩＣカード１００と通信するために退室側に設置される退室側リーダライタ６０２と、ＩＣカード１００に記憶された情報を読取るＩＣカード情報読取り手段６０３と、ＩＣカード１００から読み出したユーザ識別情報を用いて、ユーザの入退室を制御する入退室制御手段６０５と、ＩＣカード１００から読み出した情報を管理サーバ装置７００に送信するＩＣカード情報送信手段６０４を備える。
【００７２】
ＩＣカード１００に記憶された情報を読取るＩＣカード情報読取り手段６０３は、入室側リーダライタ６０１がＩＣカード１００を検知したときに、ＩＣカード１００のリードコマンド１０４を利用して、ユーザ識別情報を読出し、更に、退室側リーダライタ６０２がＩＣカード１００を検知したとき、ＩＣカード１００のリードコマンド１０４を利用して、ユーザ識別情報と開錠情報を読出す手段である。
【００７３】
ゲート装置６００の入退室制御手段６０５は、入室／退室するユーザが所持するＩＣカード１００から読取ったユーザ識別情報が、入退室が許可されたユーザのユーザ識別情報であるか確認することで、ユーザの入室／退室を制御する手段である。
【００７４】
ゲート装置６００のＩＣカード情報送信手段６０４は、入室側リーダライタ６０１がＩＣカード１００を検知したときに、ＩＣカード１００から読み出したユーザ識別情報と、ゲート装置が設置されている部屋９００の部屋識別情報と、ユーザの入室を示す情報を含む入室情報を生成し、生成した入出情報を管理サーバ装置８００に送信し、更に、退室側リーダライタ６０２がＩＣカード１００を検知したときに、ＩＣカード１００から読み出したユーザ識別情報と、ゲート装置が設置されている部屋９００の部屋識別情報と、ユーザの退室を示す情報を含む退室情報を生成し、ＩＣカード１００から読み取った開錠情報と生成した退室情報を管理サーバ装置８００へ送信する手段である。
【００７５】
図１４は、管理サーバ装置８００のブロック図である。図１４に図示したように、管理サーバ装置８００には、共有ユーザリストおよび在室者リストが記憶される記憶手段８０３（例えば、ハードディスク）と、在室者リストを更新する在室者リスト更新手段８０２と、ネットワークを介して、保管庫３００に施錠要求する保管庫管理手段８０１を備えている。
【００７６】
管理サーバ装置８００の在室者リスト更新手段８０２は、ゲート装置５００から入室情報を受信すると、受信した入室情報に含まれる部屋識別情報に対応する在室者リストを選択し、受信した入室情報に含まれるユーザ識別情報を選択した在室者リストに追加し、ゲート装置５００から退室情報を受信すると、受信した退室情報に含まれる部屋識別情報に対応する在室者リストを選択し、受信した退室情報に含まれるユーザ識別情報を選択した在室者リストから削除する手段である。
【００７７】
管理サーバ装置８００の保管庫管理手段８０１は、ゲート装置６００から受信した開錠情報に記述されている保管庫識別情報ごとに、保管庫識別情報の共有ユーザリストに記述されているユーザ識別情報すべてが、受信した退室情報に含まれるゲート識別情報に対応する在室者リストに記述されていないとき、共有ユーザすべてが退室したと判断し、保管庫識別情報で特定される保管庫３００に対し、ネットワークを介して施錠を要求する手段である。
【図面の簡単な説明】
【００７８】
【図１】実施の形態１の施錠管理システムの構成を説明する図。
【図２】開錠情報の一例を示した図。
【図３】ユーザが保管庫の鍵を開錠するときの処理を説明するフロー図。
【図４】ユーザが保管庫の鍵を施錠するときの処理を説明するフロー図。
【図５】ユーザが部屋を退室するときの処理を説明するフロー図。
【図６】ＩＣカードのブロック図。
【図７】保管庫のブロック図。
【図８】ゲート装置のブロック図。
【図９】管理サーバ装置のブロック図。
【図１０】実施の形態２に係わる施錠管理システムの構成を説明する図。
【図１１】ユーザが部屋に入室するときの処理の流れを説明するフロー図。
【図１２】ユーザが部屋から退室するときの処理の流れを説明するフロー図。
【図１３】ゲート装置のブロック図。
【図１４】管理サーバ装置のブロック図。
【符号の説明】
【００７９】
１、２施錠管理システム
１００  ＩＣカード
１０１  ライトコマンド
１０２  イレースコマンド
１０３  セレクトコマンド
１０４  リードコマンド
１０５  メモリ
３００  保管庫
３０１  リーダライタ
３０２  開錠手段
３０３  施錠手段
３０４  ネットワーク施錠手段
３０５  ユーザ認証手段
３０６  メモリ
５００、６００  ゲート装置
５０１、６０１  入室用リーダライタ
５０２、６０２  退室用リーダライタ
５０３、６０３  ＩＣカード情報読取り手段
５０４、６０４  ＩＣカード情報送信手段
５０５  入退室管理手段
７００、８００  管理サーバ装置
７０１、８０１  保管庫管理手段
８０２  在室者リスト更新手段
８０３  記憶手段
【図１】
2008057316.tif 000003
【図２】
2008057316.tif 000004
【図３】
2008057316.tif 000005
【図４】
2008057316.tif 000006
【図５】
2008057316.tif 000007
【図６】
2008057316.tif 000008
【図７】
2008057316.tif 000009
【図８】
2008057316.tif 000010
【図９】
2008057316.tif 000011
【図１０】
2008057316.tif 000012
【図１１】
2008057316.tif 000013
【図１２】
2008057316.tif 000014
【図１３】
2008057316.tif 000015
【図１４】
2008057316.tif 000016